(57)【要約】      （修正有）【課題】２枚の透かし情報画像を，原画像全体に埋め込めることができ、かつ２枚の透かし情報を個々に再生することができる方法を提供する。【解決手段】（イ）透かし情報画像１および透かし情報画像２に値が＋１と−１からなるランダム系列を乗算する。（ロ）その積をフーリエ変換してフーリエ変換係数の実部と虚部を得る。（ハ）フーリエ変換係数の実部とフーリエ変換係数の虚部を加算し、その和からホログラム画像１を得る。（ニ）ホログラム画像１に適当な正の微小な定数を乗算し、土台となる原画像１と加算し、その和を電子透かし画像とする。再生するときは、電子透かし画像から原画像１を減算し、その差をホログラム画像２とする。（ホ）ホログラム画像２をフーリエ逆変換しフーリエ逆変換係数を求める。（ヘ）フーリエ逆変換係数の実部の絶対値から透かし情報画像１を得る。（ト）フーリエ逆変換係数の虚部の絶対値から透かし情報画像２を得る。【選択図】図１
2015133683.tif 000002
【特許請求の範囲】
【請求項１】
透かし情報画像を２枚用意し、それらの透かし情報画像に値が＋１と−１からなるランダム系列をそれぞれ乗算し，それぞれの積をフーリエ変換しフーリエ変換係数を得て、一方の透かし情報画像のフーリエ変換係数の実部と他方の透かし情報画像のフーリエ変換係数の虚部を加算し、その和の大きさを０から２５５の範囲の整数値に規格化して１枚のホログラム画像とし、
さらに、このホログラム画像に適当な正の微小な定数を乗算し、土台となる任意の原画像に加算し、その和を０から２５５の範囲の整数値に規格化することで、２枚の透かし情報画像を１枚の原画像埋め込んだ電子透かし画像１枚を制作することができて、
再生するときは、制作した電子透かし画像から土台画像を減算し、その差をフーリエ逆変換しフーリエ逆変換係数を得て、そのフーリエ逆変換係数の実部の絶対値を０から２５５の範囲の整数値に規格化して一方の透かし情報画像として再生でき、フーリエ逆変換係数の虚部の絶対値を０から２５５の範囲の整数値に規格化して他方の透かし情報画像として再生できることを特徴とする工法。
【発明の詳細な説明】
【技術分野】
【０００１】  本発明は，制作するときは土台となる１枚の原画像に２枚の透かし情報画像を埋め込めた電子透かし画像１枚を制作することができ、再生するときは透かし情報画像２枚を電子透かし画像から独立にそれぞれ再生することができる，工法である。
【背景技術】
【０００２】  従来の方法は，専用装置を必要としたり，電子透かしの周波数領域を限定したり，原画像をブッロク分割して特定位置に埋め込むなどの方法で、しかも埋め込める透かし情報画像は１枚に限定された方法である。
【発明の概要】
【発明が解決しようとする課題】
【０００３】  従来の方法には次の短所がある。
（イ）  安価で容易に電子透かし画像を作成することが困難であること。
（ロ）  周波数分布の違いを利用する電子透かし画像では，フィルタなどを用いることで，透かし情報画像が簡単に除去されてしまうこと。
（ハ）  原画像をブロックごとに分割して透かし情報画像を埋め込むことによるブロック境界での不連続性が見られること。
（ニ）  ２枚の透かし情報画像の埋め込みと個々の再生ができないこと
【課題を解決するため手段】
【０００４】  透かし情報画像を２枚用意し、それぞれの透かし情報画像に値が正の１と負の１で構成されるランダム系列を乗算し，その積をフーリエ変換することで、それぞれのフーリエ変換係数を得て、一方のフーリエ変換係数の実部と他方のフーリエ変換係数の虚部を加算し、その和の大きさを０から２５５の範囲の整数値に規格化し、１枚のホログラム画像にする、そしてこの画像に適当な正の微小な定数を乗算し、任意の土台となる原画像に加算し、その和の大きさを０から２５５の範囲の整数値に規格化することで，２枚の透かし情報画像を原画像に埋め込んだ１枚の電子透かし画像を制作することができ、
一方再生するときは、電子透かし画像から原画像を減算し、その差をフーリエ逆変換することで、フーリエ逆変換係数の実部の絶対値を０から２５５の範囲の整数値に規格化して一方の透かし情報画像１枚として、フーリエ逆変換の虚部の絶対値を０から２５５の範囲の整数値に規格化して他方の透かし情報画像１枚として、それぞれ独立に再生することができる工法である。
【発明の効果】
【０００５】  電子透かし画像を専用の装置なしで安価に容易に作成することができる。広範囲な周波数領域の電子透かし画像であるので，フィルタを用いても透かし情報画像が簡単に除去されることはない。また原画像全体に電子透かしを埋め込むことので，不連続性の発生がなくなり画像が滑らかである。
したがって、著作権の主張、暗号伝達の安全性と高精度、に役立てることができる。
しかも、１枚の原画像に２枚の透かし情報画像を埋め込むことができるので、埋め込める情報量が２倍に拡張できる効果がある。
【図面の簡単な説明】
【０００６】
【図１】本発明の「２枚の透かし情報画像を埋め込めた電子透かし画像の制作と再生」の工法を示したブロック構成図である。
【発明を実施するための形態】
【０００７】  本発明の実施形態を図面の図１を用いて以下に説明する。図１は本発明の実施例をブロック構成した図である。
（イ）  透かし情報画像１（１）に値が＋１と−１からなるランダム系列（４）を乗算する。
（ロ）  その積をフーリエ変換（２）してフーリエ変換係数の実部（３）と虚部（５）を得る。
（ハ）  透かし情報画像２（７）に値が＋１と−１からなるランダム系列（１０）を乗算する。
（ニ）  その積をフーリエ変換（８）してフーリエ変換係数の実部（９）と虚部（１１）を得る。
（ホ）  フーリエ変換係数の実部（３）とフーリエ変換係数の虚部（１１）を加算し、その和からホログラム画像１（６）を得る。
（ヘ）  ホログラム画像１（６）に適当な正の微小な定数を乗算（１２）し、土台となる原画像１（１５）と加算し、その和を電子透かし画像（１３）とする。これで電子透かし画像（１３）の制作が完了である。
（ト）  再生するときは、電子透かし画像（１３）から原画像１（１６）を減算し、その差をホログラム画像２（１４）とする。
（チ）  ホログラム画像２（１４）をフーリエ逆変換（１７）しフーリエ逆変換係数を求める。
（リ）  フーリエ逆変換係数の実部の絶対値（１８）から透かし情報画像１（１９）を得る。
（ヌ）  フーリエ逆変換係数の虚部の絶対値（２０）から透かし情報画像２（２１）を得る。
【産業上の利用可能性】
【０００８】  制作した電子透かし画像は、目に見える表側の原画像と、目に見えない隠された裏側の透かし情報画像２枚で構成されるので、表側の画像を裏側の画像よりも貴重で重要な画像と位置づける場合は著作権主張に活用でき、反対に裏側の画像をより貴重で重要な画像と位置づける場合は暗号伝達に活用できる。著作権主張のため、暗号伝達のため、どちらの側面にも利用可能である。
また、制作した電子透かし画像の特徴として、電子透かし画像を分割した一部分からでも、透かし情報画像の全体を再生することができるので、部分的なコピーであっても著作権を主張することができ、通信途中で部分的に破壊された暗号であっても全体の暗号を伝達することができる。
【符号の説明】
【０００９】１…透かし情報画像１
２…フーリエ変換
３…フーリエ変換係数の実部
４…｛＋１と−１｝のランダム系列
５…フーリエ変換係数の虚部
６…ホログラム画像１
７…透かし情報画像２
８…フーリエ変換
９…フーリエ変換係数の実部
１０…｛＋１か−１｝のランダム系列
１１…フーリエ変換係数の虚部
１２…定数倍（正の微小な定数を乗算すること）
１３…電子透かし画像（制作できる画像）
１４…ホログラム画像２
１５…原画像１（土台となる画像）
１６…原画像１（土台となる画像）
１７…フーリエ逆変換
１８…フーリエ逆変換係数の実部の絶対値
１９…透かし情報画像１（再生できる画像）
２０…フーリエ逆変換係数の虚部の絶対値
２１…透かし情報画像２（再生できる画像）
【図１】
2015133683.tif 000003